(57)【要約】【課題】従来の針除去装置に比して、注射針の離脱操作手順を簡略化して手軽に使用することができ、装置コストを低廉化することができ、投棄される医療廃棄物を可及的に減容化することができる注射針脱去装置を提供する。【解決手段】注射針収容ケースに取着可能な筒状の外筒体と、外筒体の内周面に螺旋状に形成した螺旋軌道と、螺旋軌道に沿って外筒体内を旋回螺進する注射器保持筒体と、注射器保持筒体の下端部に設けられ、注射器保持筒体に挿入された注射器の注射針基部を挟持しつつ保持する注射針緊締用リングと、注射針緊締用リングが外筒体の下方から露出した状態で注射器保持筒体を停止させる係止機構と、を備え、注射針緊締用リングは旋回により注射器本体から注射針基部を離脱させると共に、注射器保持筒体の下降動作に伴う旋回力により先割状に拡開して注射針基部を注射針ごと注射針収容ケース内へ投棄すべく構成してなることとした。【選択図】図３
2019107434.tif 000002
【特許請求の範囲】
【請求項１】
注射針収容ケースの上部開口に取着可能な筒状の外筒体と、
同外筒体の内周面に上部係止点から下部係止点に至るまで螺旋状に形成した螺旋軌道と、
前記螺旋軌道に沿って前記外筒体内を旋回螺進する筒状の注射器保持筒体と、
注射器保持筒体の下端部に設けられ、同注射器保持筒体に挿入された注射器の注射針基部を挟持しつつ保持する注射針緊締用リングと、
前記下部係止点において前記注射針緊締用リングが前記外筒体の下方から露出した状態で前記注射器保持筒体を停止させる係止機構と、を備え、
同注射針緊締用リングは前記注射器保持筒体の旋回により前記注射器本体から注射針基部を離脱させると共に、前記下部係止点の近傍において前記注射器保持筒体の下降動作に伴う旋回力により先割状に拡開して注射針基部を注射針ごと前記注射針収容ケース内へ投棄すべく構成したことを特徴とする注射針脱去装置。
【請求項２】
前記注射器保持筒体の旋回螺進は、前記外筒体の内周面に刻設された前記螺旋軌道としての螺旋溝に、前記注射器保持筒体の外周面に形成した突起が摺接することで実現されるものであり、
前記外筒体の半径方向内方へ向けて拡開する上下テーパー面を前記螺旋溝に形成する一方、前記突起を先端円弧面の突起とし、同突起を前記テーパー面に点接触させることで旋回螺進時の摺動抵抗を低減したことを特徴とする請求項１に記載の注射針脱去装置。
【請求項３】
前記突起は前記注射器保持筒体の外周面に前記螺旋溝と摺接可能な状態で複数個形成していることを特徴とする請求項１又は請求項２に記載の注射針脱去装置。
【請求項４】
前記注射針緊締用リングは、前記注射器保持筒体を構成する筒状の注射器保持筒体本体の下部に拡開自在に枢着した複数の分割片よりなることを特徴とする請求項１〜３のいずれか１項に記載の注射針脱去装置。
【請求項５】
前記注射筒の前記注射器保持筒体からの離脱動作に対して摩擦力を生起するグリップ手段を前記注射筒と対向する前記注射器保持筒体の内壁に設けたことを特徴とする請求項１〜４のいずれか１項に記載の注射針脱去装置。
【請求項６】
前記注射器保持筒体を前記外筒体内にて上方へ付勢する付勢機構を備えることを特徴とする請求項１〜４のいずれか１項に記載の注射針脱去装置。
【請求項７】
前記外筒体は同軸上に配した外筒と内筒とよりなる二重筒状であり、
前記螺旋軌道は前記外筒の内周面に刻設した螺旋溝と、前記内筒の周壁を貫通する前記螺旋溝に対応させて設けた螺旋スリットとで構成し、
前記注射器保持筒体は前記螺旋スリットを介して前記螺旋溝と摺接するフランジ片を備えると共に、
前記付勢機構は、前記外筒と内筒との間の空間に配した弾性体により前記フランジ片を押し上げるべく構成したことを特徴とする請求項６に記載の注射針脱去装置。
【発明の詳細な説明】
【技術分野】
【０００１】
本発明は、注射器から注射針を脱去するための注射針脱去装置に関する。
【背景技術】
【０００２】
従来、体内に直接薬剤等を投与するために、注射器を用いた注射が行われている。
【０００３】
注射を行った後は注射器から注射針を外して感染性の医療廃棄物として廃棄する必要があり、注射針は注射器本体の先端に螺着した注射針基部を指先でつまみ回転させて注射筒から脱去することとなる。
【０００４】
ところが、この脱去操作の際に、指先を注射針に近づける必要があるために誤って指に刺してしまうこと、すなわち誤刺事故を起こしてしまうことがある。
【０００５】
例えば糖尿患者のなかには、ペン型注射器を用いてインスリンの自己注射を行う必要がある者も存在するが、そのような患者の中には高齢であるが故に指先での細かな動作が困難な者もおり、誤刺事故のおそれが高まるという問題があった。
【０００６】
また、医療従事者が患者に対して注射した後の誤刺事故は、患者が罹患している感染症に感染してしまうおそれもあるため極めて深刻な問題となる。
【０００７】
このような誤刺事故を回避すべく、注射針近傍に指先を近づけることなく注射器から注射針を外す離脱操作を可能とした針除去装置が提案されている（例えば、特許文献１参照。）。
【０００８】
かかる針除去装置は、針脱去筒体と、該筒体内に旋回自在に収納し、注射針を有した注射針基部外周と嵌合して針脱去筒体内部で旋回することにより注射針基部を螺旋して注射器本体から螺脱するための針脱去コマ体と、を備え、針脱去コマ体が旋回するに伴い注射器本体から注射針基部を螺脱し、そのまま降下して針脱去コマ体とそれに保持した注射針基部とを一体に別途設けた注射針収容ケース内へ落下するように構成している。
【先行技術文献】
【特許文献】
【０００９】
【特許文献１】実用新案登録第３１９６４１９号
【発明の概要】
【発明が解決しようとする課題】
【００１０】
しかしながら、上記従来の針除去装置は、使用済み注射針の離脱操作ごとに針脱去コマ体を針脱去筒体へ設置する必要があるため、操作手順を増やして離脱操作を煩雑とする問題があった。
【００１１】
さらに、針脱去コマ体は注射針収容ケース内へ注射針と一体に投棄しなければならず、離脱操作ごとに針脱去コマ体を消耗品として使用することとなるためコスト面で不利となるばかりか、無用な医療廃棄物を増やしてしまう問題があった。
【００１２】
本発明は、斯かる事情に鑑みてなされたものであって、従来の針除去装置に比して、注射針基部を螺脱する針脱去コマ体を一体に投棄せずにかかる針脱去部はそのまま筒体内に残留して何回も針脱去コマ体を使用でき、注射針の離脱操作手順を簡略化して手軽に使用することができ、装置コストを低廉化することができ、投棄される医療廃棄物の減容化をすることができる注射針脱去装置を提供する。
【課題を解決するための手段】
【００１３】
上記従来の課題を解決するために、本発明に係る注射針脱去装置では、（１）注射針収容ケースの上部開口に取着可能な筒状の外筒体と、同外筒体の内周面に上部係止点から下部係止点に至るまで螺旋状に形成した螺旋軌道と、前記螺旋軌道に沿って前記外筒体内を旋回螺進する筒状の注射器保持筒体と、注射器保持筒体の下端部に設けられ、同注射器保持筒体に挿入された注射器の注射針基部を挟持しつつ保持する注射針緊締用リングと、前記下部係止点において前記注射針緊締用リングが前記外筒体の下方から露出した状態で前記注射器保持筒体を停止させる係止機構と、を備え、同注射針緊締用リングは前記注射器保持筒体の旋回により前記注射器本体から注射針基部を離脱させると共に、前記下部係止点の近傍において前記注射器保持筒体の下降動作に伴う旋回力により先割状に拡開して注射針基部を注射針ごと前記注射針収容ケース内へ投棄すべく構成した。
【００１４】
また、本発明に係る注射針脱去装置では、以下の点に特徴を有する。
（２）前記注射器保持筒体の旋回螺進は、前記外筒体の内周面に刻設された前記螺旋軌道としての螺旋溝に、前記注射器保持筒体の外周面に形成した突起が摺接することで実現されるものであり、前記外筒体の半径方向内方へ向けて拡開する上下テーパー面を前記螺旋溝に形成する一方、前記突起を先端円弧面の突起とし、同突起を前記テーパー面に点接触させることで旋回螺進時の摺動抵抗を低減したこと。
（３）前記突起は前記注射器保持筒体の外周面に前記螺旋溝と摺接可能な状態で複数個形成していること。
（４）前記注射針緊締用リングは、前記注射器保持筒体を構成する筒状の注射器保持筒体本体の下部に拡開自在に吊設した複数の分割片よりなること。
（５）前記注射筒の前記注射器保持筒体からの離脱動作に対して摩擦力を生起するグリップ手段を前記注射筒と対向する前記注射器保持筒体の内壁に設けたこと。
（６）前記注射器保持筒体を前記外筒体内にて上方へ付勢する付勢機構を備えること。
（７）前記外筒体は同軸上に配した外筒と内筒とよりなる二重筒状であり、前記螺旋軌道は前記外筒の内周面に刻設した螺旋溝と、前記内筒の周壁を貫通する前記螺旋溝に対応させて設けた螺旋スリットとで構成し、前記注射器保持筒体は前記螺旋スリットを介して前記螺旋溝と摺接するフランジ片を備えると共に、前記付勢機構は、前記外筒と内筒との間の空間に配した弾性体により前記フランジ片を押し上げるべく構成したこと。
【発明の効果】
【００１５】
本発明に係る注射針脱去装置によれば、注射針収容ケースの上部開口に取着可能な筒状の外筒体と、同外筒体の内周面に上部係止点から下部係止点に至るまで螺旋状に形成した螺旋軌道と、前記螺旋軌道に沿って前記外筒体内を旋回螺進する筒状の注射器保持筒体と、注射器保持筒体の下端部に設けられ、同注射器保持筒体に挿入された注射器の注射針基部を挟持しつつ保持する注射針緊締用リングと、前記下部係止点において前記注射針緊締用リングが前記外筒体の下方から露出した状態で前記注射器保持筒体を停止させる係止機構と、を備え、同注射針緊締用リングは前記注射器保持筒体の旋回により前記注射器本体から注射針基部を離脱させると共に、前記下部係止点の近傍において前記注射器保持筒体の下降動作に伴う旋回力により先割状に拡開して注射針基部を注射針ごと前記注射針収容ケース内へ投棄すべく構成したため、注射針の離脱操作手順を簡略化して手軽に使用することができ、装置コストを低廉化することができ、注射針収容ケースへ投棄される廃棄物を注射針を有した注射針基部のみにして医療廃棄物の減容化をすることができる。
【００１６】
前記注射器保持筒体の旋回螺進は、前記外筒体の内周面に刻設された前記螺旋軌道としての螺旋溝に、前記注射器保持筒体の外周面に形成した突起が摺接することで実現されるものであり、前記外筒体の半径方向内方へ向けて拡開する上下テーパー面を前記螺旋溝に形成する一方、前記突起を先端円弧面の突起とし、同突起を前記テーパー面に点接触させることで旋回螺進時の摺動抵抗を低減したこととすれば、外筒体内における注射器保持筒体の旋回螺進動作をスムーズにすることができ、注射器保持筒体の旋回螺進動作のスピードを促進して注射器保持筒体の下降動作に伴う旋回力を増加させ、注射針緊締用リングを確実に先割状に拡開作動させることができる。
【００１７】
前記突起は前記注射器保持筒体の外周面に前記螺旋溝と摺接可能な状態で複数個形成していることとすれば、注射器保持筒体が外筒体から不用意に離脱してしまうことを防止でき、螺旋溝と突起との遊嵌状態を保持しつつ、注射器保持筒体の外筒体内における螺旋軌道に沿った旋回螺進動作を確実且つスムーズに行うことができる。
【００１８】
また、前記注射針緊締用リングは、前記注射器保持筒体を構成する筒状の注射器保持筒体本体の下部に拡開自在に吊設した複数の分割片よりなることとすれば、下部係止点の近傍において注射器保持筒体の旋回下降動作に伴う旋回力をより有効に利用して複数の分割片を注射器保持筒体の半径方向外方に向けて揺動させて注射針緊締用リングを先割状に拡開することができ、注射針緊締用リングが保持した注射針を注射針収容ケース内へ確実に投棄することができる。
【００１９】
また、前記注射筒の前記注射器保持筒体からの離脱動作に対して摩擦力を生起するグリップ手段を前記注射筒と対向する前記注射器保持筒体の内壁に設けることとすれば、注射器保持筒体が注射筒を装着した状態をより堅実として離脱動作時における注射筒の注射器保持筒体からの不用意な脱離を防止することができ、注射針の離脱操作を確実に行うことができる。
【００２０】
また、前記注射器保持筒体を前記外筒体内にて上方へ付勢する付勢機構を備えることとすれば、外筒体内において下方にある注射器保持筒体を上方へ復帰させて上部係止点に対応した上方位置で待機状態とし、注射器保持筒体への注射器の装着を容易とすることができる。
【００２１】
また、前記外筒体は同軸上に配した外筒と内筒とよりなる二重筒状であり、前記螺旋軌道は前記外筒の内周面に刻設した螺旋溝と、前記内筒の周壁を貫通する前記螺旋溝に対応させて設けた螺旋スリットとで構成し、前記注射器保持筒体は前記螺旋スリットを介して前記螺旋溝と摺接するフランジ片を備えると共に、前記付勢機構は、前記外筒と内筒との間の空間に配した弾性体により前記フランジ片を押し上げるべく構成することとすれば、より堅実に外筒体内において下方にある注射器保持筒体を上方へ復帰させて上部係止点に対応した上方位置で待機状態とし、注射器保持筒体への注射器の装着を容易とすることができる。
【図面の簡単な説明】
【００２２】
【図１】第１の実施形態に係る注射針脱去装置の構成を示した分解斜視図である。
【図２】第１の実施形態に係る注射針脱去装置の外筒体の構成を示した説明図である。
【図３】第１の実施形態に係る注射針脱去装置の注射器保持筒体の構成を示した断面図である。
【図４】第１の実施形態に係る注射針脱去装置の注射針緊締用リングの構造を示した説明図である。
【図５】第１の実施形態に係る注射針脱去装置の注射針緊締用リングの構造を示した説明図である。
【図６】本発明に係る注射針脱去装置の使用状態を示した説明図である。
【図７】第１の実施形態に係る注射針脱去装置による注射針の螺脱過程を示した説明図である。
【図８】第１の実施形態に係る注射針脱去装置による注射針の螺脱過程を示した説明図である。
【図９】第２の実施形態に係る注射脱去去装置の外筒体の内部構成を示した説明図である。
【図１０】第２の実施形態に係る注射針脱去装置の注射器保持筒体の構成を示した外観斜視図である。
【図１１】第２の実施形態に係る注射針脱去装置の外筒体の螺旋溝と注射器保持筒体の突起との遊嵌状態を示した断面図である。
【図１２】第３の実施形態に係る注射針脱去装置の構成を示した分解斜視図である。
【図１３】第３の実施形態に係る注射脱去去装置の外筒体の内部構成を示した説明図である。
【図１４】第３の実施形態に係る注射針脱去装置の注射器保持筒体の構成を示した説明図である。
【図１５】第３の実施形態に係る注射針脱去装置の構成を示した断面図である。
【図１６】第３の実施形態に係る注射針脱去装置による注射針の螺脱過程を示した説明図である。
【図１７】本発明に係る注射針脱去装置に供する注射器の構成を示した分解斜視図である。
【図１８】第４の実施形態に係る注射針脱去装置の注射器保持筒体の構成を示した外観斜視図である。
【図１９】第４の実施形態に係る注射針脱去装置の注射器保持筒体の構成を示した断面斜視図である。
【図２０】第４の実施形態に係る注射針脱去装置の注射器保持筒体の構成を示した側断面図である。
【図２１】第４の実施形態に係る注射針脱去装置の注射器保持筒体に注射器を挿入した状態を示す断面斜視図である。
【図２２】第４の実施形態に係る注射針脱去装置の注射器保持筒体に注射器を挿入した状態を示す側断面図である。
【発明を実施するための形態】
【００２３】
本発明は、注射器の先端に着脱自在に螺合連結した注射針基部（連結部）を注射器本体（カートリッジ）から螺脱して取外す冶具に関する。
【００２４】
〔１．注射器の構成〕
図１７は、本実施形態に係る注射針脱去装置にて注射筒から注射針を取り外す注射器１００の構成を示した分解説明図である。
【００２５】
注射器１００は、注射針から薬液を吐出させるためのプランジャー機構等が内蔵された注射器把持部１１２と注射液を収納したカートリッジ１１１とよりなる注射器本体１１０と、注射器本体１１０（カートリッジ１１１）の先端に取外し自在に螺着した注射針基部１２０と、該基部に突設した注射針１２２とよりなる。
【００２６】
カートリッジ１１１先端には、図１７に示すように雄ネジ部１１１ｂを形成し、雄ネジ部１１１ｂには注射針基部１２０の雌ネジ内筒１２１を螺合することによりカートリッジ１１１先端に注射針１２２を有する注射針基部１２０を取外し自在に連結している。
【００２７】
また、注射針基部１２０の雌ネジ内筒１２１の外周面には軸線方向に沿って滑り止め溝１２１ｂを所定間隔を隔てて複数形成している。かかる滑り止め溝１２１ｂは、本発明に係る注射針脱去装置では特に注射針緊締用リング２１に設けた係合突片４４に係合させるための部位として利用する。
【００２８】
なお、図１７中、１３０は注射器１００の使用時以外に注射針１２２を被覆するための注射針プロテクタ、１４０はカートリッジ１１１を被覆するためのキャップを示す。
【００２９】
本発明では、上述した注射器１００先端の注射針基部１２０のみを冶具により回転することによりカートリッジ１１１先端から注射針１２２と共に注射針基部１２０を螺脱して、直接的に人手によらず冶具を介して自動的又は半自動的に注射針を取外して別容器に収納するようにして、注射針１２２使用後の手指による注射針１２２の取り外し作業に伴う針誤刺事故を未然に防止せんとする。
【００３０】
〔２．第１の実施形態に係る注射針脱去装置〕
以下に、注射針１２２を自動的に取外す冶具としての注射針脱去装置Ａ１を詳細に説明する。図１は注射針脱去装置の分解斜視図である。また、図２は外筒体の縦断面図及び展開図、図２は注射器保持筒体の縦断面図、図３乃至図５は注射針緊締用リングの外観図、図６は本発明に係る注射針脱去装置の使用状態を示す説明図、図７及び図８は注射針脱去装置による注射針の螺脱過程を示す縦断面図である。
【００３１】
本実施形態に係る注射針脱去装置Ａ１は、使用者Ｐが注射器１００のカートリッジ１１１及びその先端の注射針基部１２０を注射針収容ケース３０にケース装着体１２を介して立設固定した外筒体１０内の注射器保持筒体２０へセットし、引き上げ動作をした際に注射器本体から注射針基部１２０を螺脱する構成（以下、単に引き上げ式と称す。）としている。
【００３２】
注射針脱去装置Ａ１は、図１に示すように、注射器保持筒体２０と外筒体１０とよりなる。注射器保持筒体２０は外周面に螺旋溝としての雄ネジ部２４を形成した筒状体である。外筒体１０は内周面に螺旋条としての雌ネジ部１７を形成した筒状体である。
【００３３】
外筒体１０は、図２（ａ）に示すように上部開口を注射器挿入開口１１ｂとすると共に下部開口を注射針基部１２０を排出するための排出開口１１ｃとし、その下端部を図１及び図６に示すように注射針収容ケース３０の上部開口に取り付けたケース装着体１２に螺着可能に構成している。
【００３４】
注射器保持筒体２０は、図３（ａ）に示すように、注射器本体１１０を挿嵌可能に構成した注射器保持筒体本体２２と、注射器保持筒体本体２２下端で注射器本体１１０先端の注射針基部１２０を嵌着可能に構成した注射針緊締用リング２１と、で構成し、その内部空間を注射器１００の注射器本体１１０（カートリッジ１１１）及び注射針基部１２０を挿嵌可能な嵌着孔４０としている。
【００３５】
注射器保持筒体２０（注射器保持筒体本体２２）の内壁の所定位置にはグリップ手段２５としてのＯリング２５ｂを取付けている。これは注射器１００を挿入したときの注射器本体１１０の外周面との緊密性を保持するものである。
【００３６】
グリップ手段２５は、外筒体１０の軸方向の応力に対しては高摩擦力を生起して注射器保持筒体２０が注射器本体１１０を緊密状に掴持する一方、注射器保持筒体２０の回転方向（周方向）に対しては注射器本体１１０と注射器保持筒体２０とが互いに滑動する構成を具備していればよい。
【００３７】
特に、本実施形態のグリップ手段２５は、図３に示すように、転動体を介して同一軸芯上に配置した内外２つの環からなるベアリング２５ａと、同ベアリング２５ａの内周壁に設けたＯリング２５ｂとで構築したベアリング構造としている。しかも、このようなベアリング構造を注射器保持筒体本体２２の内周壁の上下２箇所に設けている。
【００３８】
このような構成により、注射器保持筒体２０の昇降に伴う注射器保持筒体本体２２の旋回回転に対し内環が転動体を介して空転することとなるため、その旋回回転力が注射器本体１１０（カートリッジ１１１）に伝達することがない。
【００３９】
従って、注射器保持筒体２０の旋回回転につられて注射器本体１１０が回転することがなく人手による注射器本体１１０の把持固定状態を堅実にすることができ、注射器本体１１０下端の注射針基部１２０のみに注射針脱去装置Ａ１による回転応力を伝達することができる。
【００４０】
一方、注射器本体１１０の上下動に際しては、Ｏリング２５ｂが注射器保持筒体２０と注射器本体１１０との間で高摩擦力を生起して注射器本体１１０へのグリップ力が作用し、注射器本体１１０の上下動力が注射器保持筒体２０へ確実に伝達されて注射器本体１１０の上下動に伴い注射器保持筒体２０が旋回螺進作動することができる。
【００４１】
また、注射器保持筒体本体２２内壁の最下端縁にはカートリッジ１１１の前端縁と当接係合するように注射器保持筒体本体２２の径方向内方に向けて突出した係合段部２７が形成されており、注射器本体１１０を挿入した際にその先端の注射針基部１２０を注射器保持筒体２０の注射針緊締用リング２１に位置づけることを可能としている。
【００４２】
注射器保持筒体２０（注射器保持筒体本体２２）の下端部の肉厚周壁には、図１に示すように、約９０°の等間隔で４個所の切欠部２８を形成し、４個所の切欠部２８によりその間には４個の半円弧状の支持壁体２８ａが形成されており、これらの切欠部２８と支持壁体２８ａには後述する注射針緊締用リング２１が拡開自在に連結されている。
【００４３】
開閉自在の注射針緊締用リング２１は、図２（ｂ）に示すように、短筒状であってその内部を注射針基部１２０と嵌着する針嵌着孔４２としている。なお、針嵌着孔４２の内径は雌ネジ内筒１２１の外径と略同じとしている。
【００４４】
注射針緊締用リング２１は、図３乃至図５に示すように、４個の分割片２３により形成され、各分割片２３は注射器保持筒体２０の４個の切欠部２８と４個の支持壁体２８ａに互い違いに嵌合するリング用支持突片２３ａと、４個の該支持壁体２８ａ間に形成された４個のリング用スペーサー部２３ｂと、より構成されている。
【００４５】
分割片２３は、注射針緊締用リング２１をなす円筒を、その軸芯を中心に所定間隔を隔てて軸方向に沿って分割した円筒片であり、本実施形態では４等分割した４分円筒片として形成している。なお、分割片２３の数は注射針基部１２０の解放して投棄する動作を行うことができれば特に限定されることはないが、２〜６片とすることが好ましい。
【００４６】
分割片２３は、図３（ａ）に示すように、側断面視において略Ｌ字形状となし、Ｌ字の長手をリング用支持突片２３ａとし、Ｌ字の短手をリング用支持突片２３ａより肉厚形成した注射針基部１２０の周回りに沿うリング用スペーサー部２３ｂとしている。
【００４７】
そして、このような注射器保持筒体２０の下端部の切欠部２８と支持壁体２８ａは、図４及び図５に示すように、別途構成した注射針緊締用リング２１のリング用支持突片２３ａとリング用スペーサー部２３ｂとを互いにそれぞれ嵌着可能に構成している。
【００４８】
しかも、注射器保持筒体２０の下端部と注射針緊締用リング２１との連結は次のようになされる。すなわち、注射針緊締用リング２１のリング用支持突片２３ａとリング用スペーサー部２３ｂを遊嵌した支持壁体２８ａとをリング用支持突片２３ａの両側端に突設した枢軸２３ｃを介して枢着連結している。
【００４９】
リング用支持突片２３ａは、図４（ｂ）に示すように下部重心が外側方に変位しフリー状態において外方に拡開可能なように枢軸２３ｃ位置を外方の偏奇位置にセットする。
【００５０】
このように注射器保持筒体２０の下端部に連結した注射針緊締用リング２１は、フリー状態（注射器保持筒体２０の下端が外筒体１０の下端部から突出した状態）において、図５に示すように分割片２３がリング用支持突片２３ａの枢軸２３ｃを中心に外側方に拡開可能となるように構成している。
【００５１】
また、４個に分割された注射針緊締用リング２１の各分割片２３の内周壁面には、図３乃至図５に示すように、注射針基部１２０の外周面、すなわち滑り止め溝１２１ｂに当接係合する係合突片４４が複数個突設されている。
【００５２】
係合突片４４は、注射針基部１２０外周面と係合自在としている。すなわち、注射器保持筒体２０を外筒体１０中に螺入する場合に、図４（ｂ）に示すように予め注射器１００を注射器保持筒体２０に挿入しておき、且つ注射針基部１２０の外周面に注射針緊締用リング２１の分割片２３内周壁の係合突片４４を当接係合した状態とする。
【００５３】
かかる係合状態で注射器１００の上半部の注射器把持部１１２を人手で把持固定して注射器保持筒体２０を外筒体１０中で回転させれば、注射針緊締用リング２１の分割片２３の係合突片４４が注射針基部１２０外周面に係合して注射針基部１２０を回転してカートリッジ１１１から注射針基部１２０を螺脱することができカートリッジ１１１と注射針基部１２０とを分離した状態とすることができる。
【００５４】
また、外筒体１０の内周壁面には螺旋溝としての雌ネジ部１７を形成し、図７及び図８に示すように注射器保持筒体２０内周面の螺旋条としての雄ネジ部２４と螺合している。
【００５５】
外筒体１０の内周面には図２に示すように上部係止点１４から下部係止点１５に至るまで螺旋軌道１６としての雌ネジ部１７が形成されている。
【００５６】
換言すれば、外筒体１０の内周面には螺旋軌道１６としての螺旋溝が形成されており、同螺旋軌道１６の上部係止点１４を外筒体１０の上部内周縁部で螺旋溝の上部閉塞端とし、螺旋軌道１６の下部係止点１５を外筒体１０の下部内周縁部で螺旋溝の下部閉塞端としている。
【００５７】
一方、注射器保持筒体２０（注射器保持筒体本体２２）の外周面には、図３に示すように外筒体１０の雌ネジ部１７と螺合する雄ネジ部２４を突出形成している。
【００５８】
換言すれば、注射器保持筒体２０の外周面には、外筒体１０の内周面に刻設された螺旋軌道１６としての螺旋溝に対応するように、同螺旋溝に摺接可能な螺旋条が形成されている。
【００５９】
外筒体１０の雌ネジ部１７両端の上部係止点１４や下部係止点１５は、それぞれ注射器保持筒体２０の螺進退の作動終端を規制するストッパーとして機能する。
【００６０】
特に本実施形態に係る下部係止点１５は、注射器保持筒体２０下部の注射針緊締用リング２１が外筒体１０の下方から露出した状態で注射器保持筒体２０の雄ネジ部２４下端が突き当たり注射器保持筒体２０の螺進を停止する係止機構を果たす。
【００６１】
なお、外筒体１０の雌ネジ部１７の幅員を注射器保持筒体２０の雄ネジ部２４の幅員よりやや幅広に形成し、雌ネジ部１７上の中途部に所望とする注射器保持筒体２０の係止位置に応じた上部係止点１４及び下部係止点１５となる係止突部を形成し、これに対応するように係止段部を注射器保持筒体２０の雄ネジ部２４の中途部に突出形成することも一案である。
【００６２】
すなわち、上部係止点１４や下部係止点１５を螺旋軌道１６（雌ネジ部１７）の中途部又は別途設けることにより雌ネジ部１７の両端を解放端として形成し、外筒体１０の上方や下方から外筒体１０内部を螺進退する注射器保持筒体２０の上部や下部を出没自在に構成することができる。
【００６３】
なお、外筒体１０の雌ネジ部１７及び注射器保持筒体２０の雄ネジ部２４の螺旋方向は、注射器保持筒体２０が旋回上昇作動した場合に注射器本体１１０から注射針基部１２０を螺脱する螺旋方向となるように形成している。
【００６４】
外筒体１０の雌ネジ部１７の螺旋長さは、外筒体１０内の注射器保持筒体２０が上部係止点１４から下部係止点１５に至るまで注射器本体１１０から注射針基部１２０を螺脱可能な旋回数を確保できる螺旋長さとなるように形成している。なお、本実施形態では外筒体１０内の注射器保持筒体２０が少なくとも３回転できる螺旋長さとなるように形成している。
【００６５】
すなわち、上部係止点１４及び下部係止点１５との間の螺旋長さを注射針基部１２０の螺脱旋回距離に対応させておくことにより、外筒体１０内の注射器保持筒体２０が旋回終着点に来たときに注射針基部１２０の螺脱が終了して注射針基部１２０の分離取外し作業が終了するようにしている。
【００６６】
また、雌ネジ部１７のリード角αは、図２（ｂ）に示すように注射器保持筒体２０の自重のみで外筒体１０内の注射器保持筒体２０が旋回降下することができる角度としている。また、このようなリード角αや長さを有する雌ネジ部１７が形成される外筒体１０の高さＬは、使用者Ｐが注射器本体１１０を把持した状態で注射針基部１２０の離脱動作ができる高さとしている。
【００６７】
また、注射針脱去装置Ａ１は、上述した雄ネジ部２４と雌ネジ部１７とからなる多条ネジ構造を有している。
【００６８】
すなわち、外筒体１０の内周面に図２（ｂ）に示すように同一のリード角α及び所定ピッチで、第１雌ネジ部１７ａと、第２雌ネジ部１７ｂと、第３雌ネジ部１７ｃとを刻設すると共に、これらに対応するように注射器保持筒体２０（注射器保持筒体本体２２）の外周面に第１雄ネジ部２４ａと、第２雄ネジ部２４ｂと、第３雄ネジ部２４ｃとを突設した多条ネジ構造を構築している。
【００６９】
このような多条ネジ構造によりリード角αを大きくとりつつも、外筒体１０と注射器保持筒体２０との互いの対向面に形成した螺旋部分における螺合接触面積を増大させて外筒体１０の軸線下方への押圧力を分散させることができる。
【００７０】
従って、外筒体１０の雌ネジ部１７と注射器保持筒体２０の雄ネジ部２４との間で発生する摺動摩擦抵抗を分散させることができ、外筒体１０内における注射器保持筒体２０の旋回螺進作動を円滑に行うことができる。
【００７１】
なお、多条ネジ構造を構築する螺旋軌道１６の数は、外筒体１０と注射器保持筒体２０との間で発生する摺動摩擦抵抗を分散して注射器保持筒体２０が円滑に旋回螺進作動を行えれば特に限定されるものではなく、例えば２条〜４条とすることができる。
【００７２】
また、このようなネジ構造は、本実施形態とは逆に、外筒体１０の内周面に雄ネジ部（螺旋条）を形成すると共に、同雄ネジ部に対応するように注射器保持筒体２０の外周面に雌ネジ部（螺旋溝）を形成して構築することができるのは勿論である。
【００７３】
そして注射器１００を内部に保持した状態の注射器保持筒体２０を外筒体１０中に螺入するに際して、この外筒体１０中では図７（ｃ）及び図８（ａ）に示すように注射器保持筒体２０下端の注射針緊締用リング２１の分割片２３は外筒体１０内周壁面で規制されて分割片２３の拡開阻止状態としており、更に注射器保持筒体２０を螺進していくと図８（ｂ）及び図８（ｃ）に示すように注射器保持筒体２０の分割片２３が外筒体１０下端から突出して露見した状態となる。
【００７４】
この状態では、注射針緊締用リング２１の分割片２３が、外筒体の規制から解除されてフリー状態となり、リング用支持突片２３ａの枢軸２３ｃを中心に拡開方向に偏奇荷重がかかり分割片２３の拡開の解放状態が現出する。
【００７５】
この際、注射針基部１２０は、既に前述した通り外筒体１０内部において、カートリッジ１１１から螺脱して分離して独立した状態となっており、しかも分割片２３の外周からの規制保持がなくなると、分割片２３の拡開に伴い解放されて分割片２３の間から下方に自動的に落下して注射針収容ケース中に落下収納される。
【００７６】
以下、注射針脱去装置Ａ１による注射器本体１１０から注射針基部１２０を取り外す使用状態について詳説する。
【００７７】
注射針脱去装置Ａ１は、未使用状態では、図７（ａ）に示すように、外筒体１０内の下部係止点１５において外筒体１０の排出開口１１ｃから注射針緊締用リング２１を下方露出して注射器保持筒体２０を停止した状態としている。すなわち、注射針緊締用リング２１を構成する複数の分割片２３は、それぞれ注射器保持筒体２０の径方向外方にフリー状態にある。
【００７８】
このような状態の注射針脱去装置Ａ１に対し、使用者Ｐは、外筒体１０の排出開口１１ｃから下方露出する注射針緊締用リング２１に注射針基部１２０が位置するまで注射器本体１１０を注射器保持筒体２０の嵌着孔４０へ押し込み、注射針脱去装置Ａ１に注射器１００をセットする。
【００７９】
より具体的には、図７（ｂ）に示すように、嵌着孔４０内において、カートリッジ１１１の先端縁が注射器保持筒体本体２２の係合段部２７に突き当たるまでグリップ手段２５の摩擦力に抗して注射器本体１１０を押し込み、外筒体１０の下方で露出する注射針緊締用リング２１位置に注射針基部１２０を位置づける。
【００８０】
なお、本実施形態のように係合段部２７を設けない場合でも、注射針緊締用リング２１の下方から露出する注射針基部１２０を視認することにより位置決めを行うことができるのは勿論である。
【００８１】
このようにして注射針脱去装置Ａ１は、注射器本体１１０のカートリッジ１１１を注射器保持筒体本体２２内部のグリップ手段２５により緊密掴持状態とすると共に、注射針基部１２０の雌ネジ内筒１２１の外周廻りに注射針緊締用リング２１を構成する複数の分割片２３のリング用スペーサー部２３ｂを配置した状態とする。
【００８２】
次いで、使用者Ｐが注射器本体１１０の引き上げ動作を行うに伴い、注射器保持筒体２０が旋回上昇作動を始めて露出していた注射針緊締用リング２１を外筒体１０内へ引き上げる。
【００８３】
これに伴いフリー状態にあった各分割片２３は、その外周面が外筒体１０内周壁部により外方から支持されて、互いに寄り合わさって蕾状となり、内方に針嵌着孔４２を有した円筒状の注射針緊締用リング２１を形成する。
【００８４】
この際、複数の分割片２３のリング用スペーサー部２３ｂが注射針基部１２０外周側全域を外方から囲繞するように軸中心に向かうこととなり、注射針緊締用リング２１の係合突片４４が注射針基部１２０の滑り止め溝１２１ｂと嵌合することにより注射針基部１２０の針嵌着孔４２への嵌着状態が完了し、注射針基部１２０の動きを規制する。
【００８５】
このような状態で更に注射器本体１１０の引き上げ動作を行うと、図７（ｃ）に示すように、注射器保持筒体２０は注射針基部１２０と嵌着した状態で雌ネジ部１７に沿って外筒体１０内で旋回上昇作動する。
【００８６】
すなわち、針嵌着孔４２内において注射針緊締用リング２１に挟持されつつ保持された注射針基部１２０は、人手に把持されて回転方向不動状態の注射器本体１１０に対して解除方向に回転することとなり、注射器本体１１０から徐々に外れ始め、図８（ａ）に示すように、最終的に完全に螺脱する。
【００８７】
また、注射器保持筒体２０の雄ネジ部２４の上端が外筒体１０の螺旋軌道１６の上部係止点１４に突き当たることにより注射器保持筒体２０の旋回上昇動作が規制され、グリップ手段２５の摩擦力に抗して注射器本体１１０を注射器保持筒体本体２２から抜き去ることができる。
【００８８】
その後、注射針緊締用リング２１にて注射針基部１２０を挟持しつつ保持した注射器保持筒体２０は、その内方で嵌着した注射針基部１２０の重量も相俟って自重により外筒体１０内を螺旋軌道１６に沿って旋回下降作動をする。
【００８９】
旋回下降作動する注射器保持筒体２０は、図８（ｂ）に示すように、注射器保持筒体本体２２に設けた雄ネジ部２４の下端が外筒体１０の下部係止点１５に突き当たり係止することにより、注射針緊締用リング２１を外筒体１０の下方から露出した状態で停止する。
【００９０】
このような係止機構による注射器保持筒体２０の旋回下降動作の停止の反動により、旋回下降に伴い生起した回転応力が注射針緊締用リング２１を構成する複数の分割片２３に伝わる。
【００９１】
その結果、図６及び図８（ｃ）に示すように、各分割片２３が外方へ揺動して花開き状となり、先割拡開状の注射針緊締用リング２１をなし、注射針基部１２０を注射針収容ケース３０内へ投棄する。
【００９２】
なお、注射針収容ケース３０は、ある一定量の注射針基部１２０が蓄積された時点で、医療用廃棄物として所定の処理方法に従って処理される。
【００９３】
このように本実施形態に係る注射針脱去装置Ａ１は、外筒体１０の螺旋軌道１６において、注射器保持筒体２０の旋回上昇往路を注射器本体１１０からの注射針基部１２０の螺脱路とする一方、注射器保持筒体２０の旋回降下復路を注射針収容ケース３０内への注射針基部１２０の投棄路とした所謂引き上げ式として構成している。
【００９４】
すなわち、注射器保持筒体２０の旋回上昇往路では使用者Ｐの引き上げ動作により生起した旋回応力を注射器本体１１０からの注射針基部１２０の離脱回転力とし、注射器保持筒体２０の旋回降下復路では注射器保持筒体２０の自重降下により生起した旋回応力を注射針緊締用リング２１を先割状に拡開して離脱保持した注射針基部１２０を注射針収容ケース３０へ投棄を行う注射針基部１２０の解放回転力とすることを可能としている。
【００９５】
〔４．第２の実施形態に係る注射針脱去装置〕
次に、第２の実施形態に係る注射針脱去装置の構成について詳説する。図９は外筒体の縦断面図、図１０は注射器保持筒体の外観斜視図、図１１は外筒体の螺旋溝と注射針保持体の突起との遊嵌状態を示す断面図である。
【００９６】
第２の実施形態に係る注射針脱去装置Ａ２は、外筒体１０と注射器保持筒体２０とを備える点では上述した注射針脱去装置Ａ１と同様であるが、外筒体１０の螺旋軌道１６としての雌ネジ部１７や注射器保持筒体２０の雄ネジ部２４の構成が異なっている。
【００９７】
すなわち、本実施形態に係る注射針脱去装置Ａ２において、注射器保持筒体２０の旋回螺進は、図９〜図１１に示すように外筒体１０の内周面１０ａに刻設された螺旋軌道１６としての螺旋溝８０に、注射器保持筒体２０（注射器保持筒体本体２２）の外周面２０ａに形成した突起９０が摺接することで実現されるものである。
【００９８】
すなわち、注射針脱去装置Ａ３は、図９〜図１１に示すように外筒体１０の半径方向内方へ向けて拡開する上下テーパー面８１、８２を螺旋溝８０に形成する一方、突起９０を先端円弧面を有した半球状とし、同突起９０をテーパー面８１、８２に点接触させることで旋回螺進時の摺動抵抗を低減するように構成している。
【００９９】
螺旋溝８０は、上述した雌ネジ部１７として機能し、外筒体１０の内周面において螺旋軌道１６に沿うと共に、外筒体１０の内壁を外筒体１０の径方向内方に向かって拡開するように断面視逆三角形状に切欠いて形成したテーパ溝としている。
【０１００】
螺旋溝８０は、図１１（ａ）に示すように溝底部に相当する底線８３（図１１（ａ）中、破線で示す。）を中心に上下対称に傾斜する平坦面として、上側に位置する上テーパー面８１と、下側に位置する下テーパー面８２と、を有している。
【０１０１】
なお、螺旋溝８０の溝深さは、上テーパー面８１及び／又は下テーパー面８２に対して、後述する注射器保持筒体２０の突起９０先端の円弧面９１が点接触するように形成している。
【０１０２】
一方で、突起９０は、上述した雄ネジ部２４として機能し、図１０及び図１１に示すように螺旋溝８０に対向する先端面を円弧面９１として注射器保持筒体２０の径方向外方に向けて注射器保持筒体２０の外壁から突出形成している。
【０１０３】
換言すれば、突起９０は、螺旋溝８０に対して係合した際に、図１１（ａ）及び図１１（ｂ）に示すように断面視で上下テーパー面８１、８２を接線とした円弧面９１を有し、同円弧面９１を上テーパー面８１又は／及び下テーパー面８２に臨ませるように注射器保持筒体２０の外周面から突出している。
【０１０４】
なお、突起９０は、その先端に螺旋溝８０の上下テーパー面８１、８２を接線として摺接可能な円弧面９１を有したものであればよく、きのこ状や先端枝分かれ状のものであってもよい。
【０１０５】
例えば、突起９０は、図１１（ａ）に示すように、半球状として球を略一平面で切り欠いた球欠形状とし、球欠形状の切欠部を注射器保持筒体２０の外周に取付ける取付基部９２とすると共に、球欠形状の球体部を螺旋溝８０の上下テーパー面８１、８２に対して点接触する円弧面９１を有した接触頭部９３とするように形成してもよい。
【０１０６】
また他の例として、突起９０は、図１１（ｂ）に示すように、半球状として略カプセル形状とし、カプセル形状の円柱部を注射器保持筒体２０の外周面に取付固定する取付基部９２とすると共に、カプセル形状の半球部を螺旋溝８０の上下テーパー面８１、８２に対して点接触する円弧面９１を有した接触頭部９３とするように形成することも可能である。
【０１０７】
このような構成により、注射器保持筒体２０を外筒体１０内に配置した場合に、外筒体１０の螺旋溝８０の上下テーパー面８１、８２のうち少なくともいずれか一方のテーパー面に対して、注射器保持筒体２０の突起９０の円弧面９１が点接触して螺旋溝８０に突起９０が係合する。すなわち、外筒体１０の螺旋溝８０に対して注射器保持筒体２０の突起９０が遊嵌状態となる。
【０１０８】
従って、外筒体１０内部で注射器保持筒体２０が旋回螺進する際には、外筒体１０の螺旋溝８０と注射器保持筒体２０の突起９０との間に発生する摺動摩擦抵抗が低減化され、螺旋溝８０に対する突起９０の滑動が助長されることにより、注射器保持筒体２０の旋回螺進動作のスピードが促進して注射器保持筒体の下降動作に伴う旋回力が増加する。
【０１０９】
その結果、増加した旋回力が注射器保持筒体２０の下端部に設けた注射針緊締用リング２１を確実に先割状に拡開作動させ、注射針緊締用リング２１が保持した注射針基部を注射針ごと注射針収容ケース３０内へ確実に投棄することを可能としている。
【０１１０】
また、突起９０は注射器保持筒体２０の外周面２０ａに螺旋溝８０と摺接可能な状態で複数個形成している。より具体的には、注射器保持筒体２０の外周面２０ａには、螺旋軌道１６に対応するように複数個の突起９０を間欠的に配設している。
【０１１１】
換言すれば、外筒体１０の螺旋溝８０に対応する注射器保持筒体２０の外周面２０ａの軌道上に配設された複数個の突起９０により、図１０（ａ）及び図１０（ｂ）に示すように雄ネジ部２４としての螺旋条をなしている。
【０１１２】
なお、複数個の突起９０の配置間隔は、外筒体１０の螺旋溝８０、すなわち雄ネジ部２４に螺合可能であれば一定でなくともよい。本実施形態では、注射器保持筒体２０の外周面２０ａに、図１０（ａ）に示すように一定間隔を隔てて複数個の突起９０を配設している。
【０１１３】
また、上述の多条ネジ構造として、外筒体１０の内周面１０ａに形成された複数の螺旋溝８０、すなわち第１雌ネジ部１７ａ、第２雌ネジ部１７ｂ、及び第３雌ネジ部１７ｃにそれぞれ対応した第１雄ネジ部２４ａ、第２雄ネジ部２４ｂ、及び第３雄ネジ部２４ｃを、図１０（ｂ）に示すように注射器保持筒体２０の外周面２０ａに複数個の突起９０を配置して構成することとしてもよい。
【０１１４】
このような構成により、突起９０が注射器保持筒体２０の筒状の母線に沿って内周面１０ａの上下に点在することとなり、外筒体１０の螺旋溝８０との係合（遊嵌）状態を安定させる。
【０１１５】
すなわち、注射器保持筒体２０が外筒体１０から不用意に離脱してしまうことを防止し、螺旋溝８０と突起９０との遊嵌状態を保持して注射器保持筒体２０が外筒体１０内の螺旋軌道１６に沿って旋回螺進動作を確実且つスムーズに行うことを可能としている。
【０１１６】
なお、このような突起９０は、注射器保持筒体２０の外周面２０ａに対し、注射器保持筒体２０の径方向を軸方向とする回転軸を中心に回転可能に取り付けることを一案である。
【０１１７】
さらに他の変形例として、注射器保持筒体２０の旋回螺進は、外筒体１０の内周面に刻設された螺旋軌道１６としての螺旋溝５１に、注射器保持筒体２０（注射器保持筒体本体２２）の外周面２０ａに形成した螺旋条が摺接することで実現されるものであってもよい。
【０１１８】
すなわち、外筒体１０の半径方向内方へ向けて拡開する上下テーパー面８１、８２を螺旋溝８０に形成する一方、断面視半円状の螺旋条を連設し、同螺旋条をテーパー面８１、８２に線接触させることで旋回螺進時の摺動抵抗を低減するように構成することも一案である。
【０１１９】
〔４．第３の実施形態に係る注射針脱去装置〕
次に、第３の実施形態に係る注射針脱去装置の構成について詳説する。図１２は第３の実施形態に係る注射針脱去装置の分解斜視図、図１３は外筒体の縦断面図、図１４は注射器保持筒体の縦断面図、図１５は注射針脱去装置の縦断面図、図１６は注射針脱去装置による注射針の螺脱過程を示す縦断面図である。なお、以下において、上述した注射針脱去装置Ａ１と同様の構成は、同じ符号を付して説明を省略する。
【０１２０】
第３の実施形態に係る注射針脱去装置Ａ３は、図１２に示すように、外筒体１０と注射器保持筒体２０とを備える点で注射針脱去装置Ａ１と同様であるが、注射器保持筒体２０を外筒体１０内にて上方へ付勢する付勢機構を備え、使用者Ｐが注射器１００を押し下げた際に注射器本体１１０から注射針基部１２０を螺脱する（以下、単に押し下げ式と称す。）構成を備える点で異なっている。
【０１２１】
外筒体１０は、図１３に示すように、一定間隔を保持して同軸上に配した外筒５０と内筒６０とした内外二重壁構造としている。
【０１２２】
また、外筒５０と内筒６０とは互いの下端縁同士を水平状の下部係止フランジ７２で連結して外筒５０と内筒６０の間を有底状とし、注射器保持筒体２０を常時上方付勢する弾性体７０を配置する弾性体配置空間７１を形成している。
【０１２３】
弾性体７０は、弾性体配置空間７１に配設可能で注射器保持筒体２０を上方に復帰させる付勢力を生起できるものであればよく、本実施形態においてはコイルバネ７０ａを採用している。
【０１２４】
また、図１３に示すように、外筒体１０において、外筒５０の内周面には螺旋溝５１が刻設されており、内筒６０の内壁には外筒５０の螺旋溝５１に対応するように螺旋スリット６１が貫設されている。
【０１２５】
すなわち、外筒体１０の螺旋軌道１６（雌ネジ部１７）は、外筒５０の内周面に刻設した螺旋溝５１と、内筒６０の周壁を貫通する螺旋溝５１に対応させて設けた螺旋スリット６１と、で構成している。
【０１２６】
螺旋軌道１６は、上述の第１の実施形態とは逆に、その螺旋方向を注射器保持筒体２０が旋回下降作動した場合に注射器本体１１０から注射針基部１２０を螺脱する螺旋方向となるように形成している。
【０１２７】
また、注射器保持筒体２０は、図１２及び図１４に示すように、外筒体１０を二重壁構造として肉厚とした分、注射器保持筒体本体２２の壁部を肉薄に形成している。具体的には、注射器保持筒体本体２２の壁部は、分割片２３のリング用支持突片２３ａと略同じ厚みに形成している。
【０１２８】
また、注射器保持筒体本体２２の外周面に形成された雄ネジ部２４の上端にはフランジ片２９が、螺旋溝５１と嵌合すると共に弾性体７０の上端と摺接するように注射器保持筒体２０の径方向外方に向けて伸延して形成されている。なお、本実施形態のフランジ片２９は、雄ネジ部２４の数に応じて注射器保持筒体２０に３つ設けている。
【０１２９】
このようなフランジ片２９を備えた注射器保持筒体２０は、図１５に示すように、弾性体配置空間７１に配置された弾性体７０の上端と同フランジ片２９が当接するように外筒体１０内側に配設される。
【０１３０】
具体的には、注射器保持筒体２０は、雄ネジ部２４を内筒６０の螺旋スリット６１に螺合すると共に、雄ネジ部２４上端のフランジ片２９を弾性体配置空間７１に収納された弾性体７０上端の上方に位置すると共に内筒６０の螺旋スリット６１を介して外側の外筒５０の螺旋溝５１に摺接するように配設している。
【０１３１】
このように注射針脱去装置Ａ３は、弾性体配置空間７１において、注射器保持筒体２０のフランジ片２９と外筒体１０の下部係止フランジ７２との間に弾性体７０を介在させて、注射器保持筒体２０を外筒体１０内にて上方へ付勢する付勢機構を構築している。
【０１３２】
ここで、本実施形態に係る付勢機構は上述のような構成としているが、注射針脱去装置Ａ１のように外筒体１０を一重壁筒とした場合であっても、注射器保持筒体２０を外筒体１０内にて上方へ付勢する付勢機構を構成することができる。
【０１３３】
例えば、注射器保持筒体２０の外周に形成した雄ネジ部２４の下端と外筒体１０の外筒体１０の下端開口縁から内側に突出形成した下部係止フランジ７２との間に弾性体７０を介在させることにより、雄ネジ部２４の下端をフランジ片２９として機能させて注射器保持筒体２０の上昇復帰動作を行うことも一案である。
【０１３４】
また、係合段部２７は、注射針緊締用リング２１内の針嵌着孔４２の上端開口縁端部に設けている。具体的には、係合段部２７は、注射針緊締用リング２１を構成する複数の分割片２３のリング用スペーサー部２３ｂの内壁上端を、カートリッジ１１１の前端縁と当接係合するように湾曲状に切り欠いて形成している。
【０１３５】
また、第２の実施形態で示したように、上下テーパー面を螺旋溝５１や螺旋スリット６１として形成する一方、突起９０先端の円弧面９１をテーパー面に点接触させることで旋回螺進時の摺動抵抗を低減することとしてもよい。
【０１３６】
すなわち、外筒体１０は外筒５０の内周面に刻設した螺旋溝５１と内筒６０の周壁を貫通する螺旋スリット６１とにおいて外筒体の半径方向内方へ向けて拡開する上下テーパー面を備える一方、注射器保持筒体２０は外周面に内筒６０の螺旋スリット６１のテーパー面と点接触する半球状の突起を備えると共に螺旋溝５１のテーパー面と点接触する球面を有したフランジ片を備える構成としてもよい。
【０１３７】
このように構成した注射針脱去装置Ａ３は、以下のようにして注射器１００の注射器本体１１０から注射針基部１２０を取り外す。
【０１３８】
注射針脱去装置Ａ２の未使用状態では、図１５に示したように、注射器保持筒体２０は弾性体７０により外筒体１０内で上方付勢されて外筒体１０の挿入開口１１ｂ位置に注射器保持筒体本体２２の嵌着孔４０における上部開口４１を位置づけるように停止している。
【０１３９】
すなわち、注射器保持筒体２０は、弾性体７０によりフランジ片２９を介して外筒体１０内の上方付勢されると共に、同フランジ片２９が螺旋軌道１６の上部係止点１４に突き当たることにより外筒体１０内の上方位置で上部開口４１を望ませた状態で停止している。
【０１４０】
次いで、図１６（ａ）に示すように、使用者Ｐは外筒体１０内で停止状態の注射器保持筒体２０の嵌着孔４０へ注射器本体１１０及び注射針基部１２０を挿嵌する。
【０１４１】
具体的には、外筒体１０の内周面により支持されて蕾状に寄り合わさった複数の分割片２３からなる注射針緊締用リング２１において、注射器本体１１０のカートリッジ１１１の先端縁を係合段部２７に当接させると共に針嵌着孔４２に注射針基部１２０を嵌着する。
【０１４２】
次いで、使用者Ｐが弾性体７０の上方付勢力に抗して注射器本体１１０の押し下げ動作を行うに伴い、外筒体１０の螺旋軌道１６に沿って注射器保持筒体２０が旋回下降作動を開始する。
【０１４３】
注射器保持筒体２０の旋回下降作動に伴い雄ネジ部２４上端のフランジ片２９は、弾性体配置空間７１の下部係止フランジ７２との間に配置された弾性体７０を上方から押圧して収縮させる。
【０１４４】
また、針嵌着孔４２内にて注射針緊締用リング２１に挟持保持された注射針基部１２０は、注射器本体１１０に対して解除方向に回転することとなり、図１６（ｂ）に示すように徐々に外れ始め、最終的に注射器本体１１０から完全に螺脱する。
【０１４５】
使用者Ｐが更に注射器本体１１０の押し下げ動作を行うと、旋回下降作動する注射器保持筒体２０は、注射器保持筒体本体２２の雄ネジ部２４の下端が外筒体１０の下部係止点１５に突き当たり係止する注射器保持筒体２０の停止機構により、注射針緊締用リング２１を外筒体１０の下方から露出した状態で停止する。
【０１４６】
このような停止機構による注射器保持筒体２０の旋回下降作動の停止反動で、注射器保持筒体２０の旋回回転応力が複数の分割片２３に伝わる。
【０１４７】
その結果、図１６（ｃ）に示すように、回転応力により各分割片２３は外方へ揺動して花開き状となって先割拡開の注射針緊締用リング２１をなし、同注射針緊締用リング２１は挟持しつつ保持した注射針基部１２０を注射針収容ケース３０内へ投棄する。
【０１４８】
そして、使用者Ｐが注射針脱去装置Ａ３から注射器１００の抜去すると、フランジ片２９により下方押圧されて収縮状態にあった弾性体７０が、フランジ片２９と下部係止フランジ７２との間で解放されて伸延復帰することにより上方付勢力を生起する。
【０１４９】
従って、弾性体７０の上方付勢力がフランジ片２９を介して注射器保持筒体２０に伝達され、注射器保持筒体２０は弾性体７０の上方付勢力により旋回上昇作動し、図１５に示したように、外筒体１０内の上方位置に復帰する。
【０１５０】
このように本実施形態に係る注射針脱去装置Ａ３は、外筒体１０の螺旋軌道１６において、注射器保持筒体２０の旋回下降往路を注射器本体１１０から注射針基部１２０を離脱させて注射針収容ケース３０内へ投棄する注射針基部１２０の離脱投棄路とする一方、注射器保持筒体２０の旋回上昇復路を付勢機構により注射器保持筒体２０の外筒体１０内の上方位置に復帰させる注射器保持筒体２０の復帰路とした所謂押し下げ式として構成している。
【０１５１】
〔５．第４の実施形態に係る注射針脱去装置〕
次に、第４の実施形態に係る注射針脱去装置の構成について詳説する。図１８は第４の実施形態に係る注射器保持筒体の構成を示した外観斜視図、図１９は注射器保持筒体の構成を示した断面斜視図、図２０は注射器保持筒体の構成を示した側断面図、図２１は注射器保持筒体内に注射器を挿入した状態を示す断面斜視図、図２２は注射器保持筒体に注射器を挿入した状態を示す側断面図である。なお、図中、外筒体１０については省略している。
【０１５２】
第４の実施形態に係る注射針脱去装置Ａ４は、外筒体１０と注射器保持筒体２０とを備える点では上述した注射針脱去装置Ａ１と同様であるが、注射器保持筒体２０内に注射器１００を挿入した際に注射器保持筒体２０と注射器本体１１０との緊密性を保持するグリップ手段２５０としてのベアリング構造を、図１８に示すように注射器保持筒体２０（注射器保持筒体本体２２）の上端部と注射器保持内輪２５２との間に介在させた点で異なる。
【０１５３】
ここで、注射器本体１１０を構成するカートリッジ１１１には、図１７に示すようにその上部外周面から突出する突起１１１ａを有しているものがある。そして、本実施形態にかかる注射針脱去装置Ａ４は、特に注射器本体１１０の引上げ操作時に突起１１１ａを利用して注射器保持筒体本体２２を引上げ、注射器保持筒体本体２２と外筒体１０との螺合を介して注射器保持筒体本体２２を回転させ、注射器保持筒体本体２２下端、すなわち注射針緊締用リング２１に挟持した注射針基部１２０を注射器本体１１０下端で螺脱回転させて注射針１２２を脱去操作する際に、ベアリング構造によって注射器保持筒体本体２２が外筒体１０の内側で円滑に回転することを可能とするものである。
【０１５４】
グリップ手段２５０としてのベアリング構造は、図１８及び図１９に示すように注射器保持筒体２０の上端部の内周壁を外周に向かって拡開形成した拡開内周壁部２５１に遊嵌する２５２との間に介在構築している。換言すれば、注射器保持内輪２５２が、拡開内周壁部２５１に対して転動体２５３を介して遊嵌支持されたグリップ手段２５０としてのベアリング構造である。
【０１５５】
具体的には、注射器保持筒体２０の上端部の拡開内周壁部２５１と、同拡開内周壁部２５１と同一軸芯上に配置され、同拡開内周壁部２５１内に複数の転動体２５３を介して注射器保持筒体２０の周方向に回転可能に遊嵌される注射器保持内輪２５２と、で構成している。なお転動体２５３は、真球状の玉やローラー状のコロであってもよく、周回りについて所定間隔を隔てて複数設けられている。
【０１５６】
拡開内周壁部２５１の内周には、図２０に示すように外輪凹溝２５１ａを形成している。また、注射器保持内輪２５２の外周には、拡開内周壁部２５１の外輪凹溝２５１ａに対応するように内輪凹溝２５２ａを形成している。各凹溝２５１ａ、２５２ａは、即断面視で互いに拡開方向を対向するように、それぞれ傾斜する上下テーパー面２５１ｂ、２５１ｃ、２５２ｂ、２５２ｃを有するように形成している。
【０１５７】
また、拡開内周壁部２５１は、側面視において、下端内周面を傾斜させたテーパー面である上側テーパー面２５１ｂを有するリング状の閉塞蓋部２５４と、注射器保持筒体本体２２の上端で下テーパー面２５１ｃを有する拡開内周壁本体部２５５と、で構成し、注射器保持筒体２０と注射器保持内輪２５２との間にベアリング構造を介在させることを可能としている。
【０１５８】
注射器保持内輪２５２は、図１９及び図２０に示すように肉厚リング状であって、その内周でカートリッジ１１１の外周に当接する。注射器保持内輪２５２の内周上下端縁には、肉厚の上下フランジ係合部２５６、２５７がそれぞれ内方に向けて襞状に２つ突出している。また、注射器保持内輪２５２の内周中央部には、２つの上下フランジ係合部２５６、２５７によって突起１１１ａが嵌合する係合凹部２５８を形成している。
【０１５９】
なお、上下フランジ係合部２５６、２５７のフランジ頭部はＲ形状とし、カートリッジ１１１との周面摩擦抵抗を可及的低減化している。また、上フランジ係合部２５６の内周縁には、突起１１１ａを係合凹部２５８内へ挿通可能とする図示しない切欠部が設けられている。
【０１６０】
このように構成した注射針脱去装置Ａ４は、注射器保持筒体２０において注射針緊締用リング２１の複数の分割片２３に注射針基部１２０を挟持させつつ注射器保持筒体本体２２上端部のグリップ手段２５０に注射器本体１１０を保持させた状態で注射器１００の上下動作を行うと、以下のような作用を生起する。
【０１６１】
すなわち、注射器保持筒体本体２２の係合凹部２５８に嵌め込み位置付けた注射器本体１１０の突起１１１ａが、図２１及び図２２に示すように上下フランジ係合部２５６、２５７に突き当り当接することにより、注射器本体１１０の上下方向の応力を注射器保持筒体２０へ伝達する。
【０１６２】
上下作動する注射器保持筒体２０は外筒体１０内の螺旋軌道１６により上下応力を回転応力に転換して回転作動することとなるが、注射器本体１１０を保持する注射器保持内輪２５２は注射器保持筒体本体２２の拡開内周壁部２５１に対して転動体２５３を介して回転自在であるため、注射器保持筒体本体２２からの回転応力を注射器本体１１０に伝えることがない。
【０１６３】
換言すれば、注射器保持筒体２０の回転応力は、グリップ手段２５０のベアリング構造により注射器保持筒体本体２２から注射器本体１１０へ伝わることなく、注射器保持筒体２０下端の注射針緊締用リング２１に挟持された注射針基部１２０にのみ伝わる。
【０１６４】
従って、注射針脱去装置Ａ４は、注射器１００において注射器本体１１０を注射針基部１２０と一体的に回転させず、注射器本体１１０を回転方向に対して不動状態にしたまま注射針基部１２０のみを回転させて、注射器本体１１０から注射針基部１２０ごと注射針１２２を脱去可能としている。
【０１６５】
なお、注射器１００のカートリッジ１１１に突起１１１ａがない場合には、注射器保持内輪２５２を樹脂などの弾力性素材、例えば樹脂で形成することにより同様の注射針脱去操作をすることができる。具体的には、上下フランジ係合部２５６、２５７（注射器保持内輪２５２）は、弾力性素材でフランジ内径をカートリッジ１１１の外径よりやや小さくなるように形成する。
【０１６６】
このような構成により注射器本体１１０を注射器保持筒体２０内に挿入した際には、注射器本体１１０（カートリッジ１１１）の上部外周面に対して注射器保持内輪２５２の２つの上下フランジ係合部２５６、２５７が圧着し、注射器保持筒体２０が注射器本体１１０を掴持することを可能とする。
【０１６７】
このように、注射針脱去装置Ａ４は、グリップ手段２５０とのしてのベアリング構造によって注射器保持筒体本体２２が外筒体１０の内側で円滑に回転することを可能とする。
【０１６８】
すなわち、注射器保持筒体２０の上下方向（軸方向）の応力に対してはグリップ手段２５０により高摩擦力を生起して注射器保持筒体２０が注射器本体１１０を緊密状に掴持することができる一方で、注射器保持筒体２０の回転方向（周方向）に対しては注射器本体１１０と注射器保持筒体２０とがグリップ手段２５０により滑動し、注射器本体１１０を注射針基部１２０と一体的に回転させず、注射針基部１２０のみを回転させて、注射器本体１１０から注射針基部１２０ごと注射針１２２を脱去することを可能としている。
【０１６９】
以上説明したように、本発明に係る注射針脱去装置によれば、注射針収容ケースの上部開口に取着可能な筒状の外筒体と、同外筒体の内周面に上部係止点から下部係止点に至るまで螺旋状に形成した螺旋軌道と、前記螺旋軌道に沿って前記外筒体内を旋回螺進する筒状の注射器保持筒体と、注射器保持筒体の下端部に設けられ、同注射器保持筒体に挿入された注射器の注射針基部を挟持しつつ保持する注射針緊締用リングと、前記下部係止点において前記注射針緊締用リングが前記外筒体の下方から露出した状態で前記注射器保持筒体を停止させる係止機構と、を備え、同注射針緊締用リングは前記注射器保持筒体の旋回により前記注射器本体から注射針基部を離脱させると共に、前記下部係止点の近傍において前記注射器保持筒体の下降動作に伴う旋回力により先割状に拡開して注射針基部を注射針ごと前記注射針収容ケース内へ投棄すべく構成したため、注射針の離脱操作手順を簡略化して手軽に使用することができ、装置コストを低廉化することができ、注射針収容ケースへ投棄される廃棄物を注射針を有した注射針基部のみに限定することができる効果がある。
【０１７０】
特に、本発明に係る注射針脱去装置を取り付けた注射針収容ケースが不用意に転倒した場合であっても、注射針収容ケースに立設した外筒体の内方に常時注射器保持筒体が介在するため、ケース内に既に収容された使用済みの注射針が外筒体の内部を辿ってケース外へ飛び出る恐れがない。
【０１７１】
すなわち、本発明に係る注射針脱去装置は、注射針収容ケース取付状態において外筒体におけるケース内からの注射針の飛び出し経路を注射器保持筒体により略閉塞することにより、従来の針除去装置に比して、より生物学的危害要因の少ない注射針脱去装置を提供することができる。
【０１７２】
また、注射器先端の注射針基部のみを冶具により回転することによりカートリッジ先端から注射針と共に注射針基部を螺脱して、直接的に人手によらず冶具を介して自動的又は半自動的に注射針を取外して別容器に収納するようにして、注射針使用後の手指による注射針の取り外し作業に伴う針誤刺事故を未然に防止することができる効果がある。
【０１７３】
なお、上述してきた第１〜第４の実施形態は互いに構成を入れ替えても実施可能であり、同一の作用・効果を有することは勿論である。
【０１７４】
最後に、上述した各実施形態の説明は本発明の一例であり、本発明は上述の実施形態に限定されることはなく、各実施形態以外であっても、本発明に係る技術的思想を逸脱しない範囲であれば、設計等に応じて種々の変更が可能であることは勿論である。
【符号の説明】
【０１７５】
Ａ１  注射針脱去装置
１０  外筒体
１４  上部係止点
１５  下部係止点
１６  螺旋軌道
２０  注射器保持筒体
２１  注射針緊締用リング
３０  注射針収容ケース
１００  注射器
１１０  注射筒
【図１】
2019107434.tif 000003
【図２】
2019107434.tif 000004
【図３】
2019107434.tif 000005
【図４】
2019107434.tif 000006
【図５】
2019107434.tif 000007
【図６】
2019107434.tif 000008
【図７】
2019107434.tif 000009
【図８】
2019107434.tif 000010
【図９】
2019107434.tif 000011
【図１０】
2019107434.tif 000012
【図１１】
2019107434.tif 000013
【図１２】
2019107434.tif 000014
【図１３】
2019107434.tif 000015
【図１４】
2019107434.tif 000016
【図１５】
2019107434.tif 000017
【図１６】
2019107434.tif 000018
【図１７】
2019107434.tif 000019
【図１８】
2019107434.tif 000020
【図１９】
2019107434.tif 000021
【図２０】
2019107434.tif 000022
【図２１】
2019107434.tif 000023
【図２２】
2019107434.tif 000024
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
注射針収容ケースの上部開口に取着可能な筒状の外筒体と、
同外筒体の内周面に上部係止点から下部係止点に至るまで螺旋状に形成した螺旋軌道と、
前記螺旋軌道に沿って前記外筒体内を旋回螺進する筒状の注射器保持筒体と、
注射器保持筒体の下端部に設けられ、同注射器保持筒体に挿入された注射器の注射針基部を挟持しつつ保持する注射針緊締用リングと、
前記下部係止点において前記注射針緊締用リングが前記外筒体の下方から露出した状態で前記注射器保持筒体を停止させる係止機構と、を備え、
同注射針緊締用リングは前記注射器保持筒体の旋回により前記注射器本体から注射針基部を離脱させると共に、前記下部係止点の近傍において前記注射器保持筒体の下降動作に伴う旋回力により先割状に拡開して注射針基部を注射針ごと前記注射針収容ケース内へ投棄すべく構成したことを特徴とする注射針脱去装置。
【請求項２】
前記注射器保持筒体の旋回螺進は、前記外筒体の内周面に刻設された前記螺旋軌道としての螺旋溝に、前記注射器保持筒体の外周面に形成した突起が摺接することで実現されるものであり、
前記外筒体の半径方向内方へ向けて拡開する上下テーパー面を前記螺旋溝に形成する一方、前記突起を先端円弧面の突起とし、同突起を前記テーパー面に点接触させることで旋回螺進時の摺動抵抗を低減したことを特徴とする請求項１に記載の注射針脱去装置。
【請求項３】
前記突起は前記注射器保持筒体の外周面に前記螺旋溝と摺接可能な状態で複数個形成していることを特徴とする請求項２に記載の注射針脱去装置。
【請求項４】
前記注射針緊締用リングは、前記注射器保持筒体を構成する筒状の注射器保持筒体本体の下部に拡開自在に枢着した複数の分割片よりなることを特徴とする請求項１〜３のいずれか１項に記載の注射針脱去装置。
【請求項５】
前記注射器本体の前記注射器保持筒体からの離脱動作に対して摩擦力を生起するグリップ手段を前記注射器本体と対向する前記注射器保持筒体の内壁に設けたことを特徴とする請求項１〜４のいずれか１項に記載の注射針脱去装置。
【請求項６】
前記注射器保持筒体を前記外筒体内にて上方へ付勢する付勢機構を備えることを特徴とする請求項１〜４のいずれか１項に記載の注射針脱去装置。
【請求項７】
前記外筒体は同軸上に配した外筒と内筒とよりなる二重筒状であり、
前記螺旋軌道は前記外筒の内周面に刻設した螺旋溝と、前記内筒の周壁を貫通する前記螺旋溝に対応させて設けた螺旋スリットとで構成し、
前記注射器保持筒体は前記螺旋スリットを介して前記螺旋溝と摺接するフランジ片を備えると共に、
前記付勢機構は、前記外筒と内筒との間の空間に配した弾性体により前記フランジ片を押し上げるべく構成したことを特徴とする請求項６に記載の注射針脱去装置。
【手続補正２】
【補正対象書類名】明細書
【補正対象項目名】００１４
【補正方法】変更
【補正の内容】
【００１４】
また、本発明に係る注射針脱去装置では、以下の点に特徴を有する。
（２）前記注射器保持筒体の旋回螺進は、前記外筒体の内周面に刻設された前記螺旋軌道としての螺旋溝に、前記注射器保持筒体の外周面に形成した突起が摺接することで実現されるものであり、前記外筒体の半径方向内方へ向けて拡開する上下テーパー面を前記螺旋溝に形成する一方、前記突起を先端円弧面の突起とし、同突起を前記テーパー面に点接触させることで旋回螺進時の摺動抵抗を低減したこと。
（３）前記突起は前記注射器保持筒体の外周面に前記螺旋溝と摺接可能な状態で複数個形成していること。
（４）前記注射針緊締用リングは、前記注射器保持筒体を構成する筒状の注射器保持筒体本体の下部に拡開自在に吊設した複数の分割片よりなること。
（５）前記注射器本体の前記注射器保持筒体からの離脱動作に対して摩擦力を生起するグリップ手段を前記注射器本体と対向する前記注射器保持筒体の内壁に設けたこと。
（６）前記注射器保持筒体を前記外筒体内にて上方へ付勢する付勢機構を備えること。
（７）前記外筒体は同軸上に配した外筒と内筒とよりなる二重筒状であり、前記螺旋軌道は前記外筒の内周面に刻設した螺旋溝と、前記内筒の周壁を貫通する前記螺旋溝に対応させて設けた螺旋スリットとで構成し、前記注射器保持筒体は前記螺旋スリットを介して前記螺旋溝と摺接するフランジ片を備えると共に、前記付勢機構は、前記外筒と内筒との間の空間に配した弾性体により前記フランジ片を押し上げるべく構成したこと。
【手続補正３】
【補正対象書類名】明細書
【補正対象項目名】００１９
【補正方法】変更
【補正の内容】
【００１９】
また、前記注射器本体の前記注射器保持筒体からの離脱動作に対して摩擦力を生起するグリップ手段を前記注射器本体と対向する前記注射器保持筒体の内壁に設けることとすれば、注射器保持筒体が前記注射器本体を装着した状態をより堅実として離脱動作時における前記注射器本体の注射器保持筒体からの不用意な脱離を防止することができ、注射針の離脱操作を確実に行うことができる。
【手続補正４】
【補正対象書類名】明細書
【補正対象項目名】００２４
【補正方法】変更
【補正の内容】
【００２４】
〔１．注射器の構成〕
図１７は、本実施形態に係る注射針脱去装置にて注射器本体から注射針を取り外す注射器１００の構成を示した分解説明図である。
【手続補正５】
【補正対象書類名】明細書
【補正対象項目名】０１７５
【補正方法】変更
【補正の内容】
【０１７５】
Ａ１  注射針脱去装置
１０  外筒体
１４  上部係止点
１５  下部係止点
１６  螺旋軌道
２０  注射器保持筒体
２１  注射針緊締用リング
３０  注射針収容ケース
１００  注射器
１１０  注射器本体